(57)【要約】【課題】導電コードが外部に露出せず、芝刈時や運搬時に導電コードが枝木等に引掛かることがない芝刈機を提供する。【解決手段】グリップ９から下側に向けて突出した長尺筒状のポール１０の下端に刈刃４を有する刈取装置２を設ける。刈取装置２に刈刃４を動作させるモータを内装する。グリップ９にモータの駆動を制御するスイッチを内装する。スイッチとモータをポール１０内に通した導電コード１４で電気的に接続する。【選択図】        図１
2007116959.tif 000002
【特許請求の範囲】
【請求項１】
グリップから下側に向けて突出した長尺筒状のポールの下端に刈刃を有する刈取装置を設け、刈取装置に刈刃を動作させるモータを内装し、グリップにモータの駆動を制御するスイッチを内装し、スイッチとモータをポール内に通した導電コードで電気的に接続して成ることを特徴とする芝刈機。
【請求項２】
上記ポールは伸縮自在のポールであって、導電コードのポール内を通る部分の長さをポールの最大伸長時におけるポールの長さ以上にしたことを特徴とする請求項１に記載の芝刈機。
【請求項３】
上記ポールは上側ポール部材と下側ポール部材を備え、上側ポール部材及び下側ポール部材のうち、一方のポール部材の一端側を他方のポール部材の一端側にポールの軸方向にスライド自在に挿入してポールを伸縮自在とし、上側ポール部材に上側ポール部材内に位置する回転自在のローラを設けると共に、下側ポール部材に下側ポール部材内に位置する回転自在のローラを設け、グリップ内からポールに導入した導電コードを両ローラのうち下方に位置するローラに巻き廻し、次に上方に位置するローラに巻き廻し、この後、ポールの下端から刈取装置内に導入して成ることを特徴とする請求項２に記載の芝刈機。
【発明の詳細な説明】
【技術分野】
【０００１】
本発明はグリップと刈取装置を長尺なポールで連結した芝刈機に関する。
【背景技術】
【０００２】
従来から利用されている芝刈機には例えば特許文献１のような芝刈機がある。この芝刈機はグリップから斜め下前方に向けて突出した伸縮自在のポールの下端に刈刃を有する刈取装置を設けている。刈取装置には刈刃を動作させるモータを内装してあり、またグリップには使用者に操作されるスイッチハンドルに連動するスイッチを内装している。スイッチとモータは導電コードで接続してあり、該導電コードはスイッチを内装するグリップからグリップの外部に導出され、ポールの外側を通って外部から再び刈取装置内に導入されてモータに接続されている。これによりグリップに設けたスイッチハンドルを操作することで刈取装置に内装したモータを駆動して刈刃を動作できるようにしてあり、このように刈刃を動作させつつ刈取装置を芝上を移動させることで、地上の芝草や枝木を刈ることができるようになっている。
【０００３】
しかし上記特許文献１に示す芝刈機の導電コードは外部に露出しているので、芝刈時や運搬時に導電コードが枝木等に引掛かりやすく、芝刈や運搬を行い難く、特に芝刈時には危険を伴い、また導電コードが断線する恐れもあり、さらには見栄えが悪いという問題がある。さらにポールを縮めた場合には外部に露出した導電コードの余長部分が弛み、この場合は特に枝木等に引掛かりやすい状態となってしまう。
【特許文献１】特開平６−１５３６５０号公報
【発明の開示】
【発明が解決しようとする課題】
【０００４】
本発明は上記従来の問題点に鑑みて発明したものであって、導電コードが外部に露出せず、芝刈時や運搬時に導電コードが枝木等に引掛かることがなく、しかも外観の良い芝刈機を提供することを課題とするものである。
【課題を解決するための手段】
【０００５】
上記課題を解決するために本発明に係る芝刈機は、グリップ９から下側に向けて突出した長尺筒状のポール１０の下端に刈刃４を有する刈取装置２を設け、刈取装置２に刈刃４を動作させるモータを内装し、グリップ９にモータの駆動を制御するスイッチを内装し、スイッチとモータをポール１０内に通した導電コード１４で電気的に接続して成ることを特徴とする。
【０００６】
上記構成により導電コード１４が芝刈機の外部に露出せず、芝刈時や運搬時に導電コード１４が枝木等に引掛かることがない。従って芝刈や運搬を行いやすく、また芝刈時にも安全である。また導電コード１４が枝木等に引掛からないので断線することもない。また導電コード１４は外部に露出しないので外観が良い。
【０００７】
また上記ポール１０は伸縮自在のポール１０であって、導電コード１４のポール１０内を通る部分の長さをポール１０の最大伸長時におけるポール１０の長さ以上にすることも好ましい。
【０００８】
この場合、ポール１０が伸縮自在であるので使い勝手が良いのは勿論のこと、加えて導電コード１４のポール１０内を通る部分の長さはポール１０の最大伸長時におけるポール１０の長さ以上であるので、ポール１０の長さに関わらずスイッチとモータの接続状態を維持できる。
【０００９】
また上記ポール１０は上側ポール部材１６と下側ポール部材１７を備え、上側ポール部材１６及び下側ポール部材１７のうち、一方のポール部材１６の一端側を他方のポール部材１７の一端側にポール１０の軸方向にスライド自在に挿入してポール１０を伸縮自在とし、上側ポール部材１６に上側ポール部材１６内に位置する回転自在のローラ２５を設けると共に、下側ポール部材１７に下側ポール部材１７内に位置する回転自在のローラ２８を設け、グリップ９内からポール１０に導入した導電コード１４を両ローラ２５、２８のうち下方に位置するローラ２５に巻き廻し、次に上方に位置するローラ２８に巻き廻し、この後、ポール１０の下端から刈取装置２内に導入することも好ましい。
【００１０】
この場合、ポール１０の長さに応じて導電コード１４の両ローラ２５、２８に亘って巻き廻される部分の長さを変更でき、ポール１０の伸長時にポール１０内を通る導電コード１４の弛みを防止できるのは勿論、加えてポール１０の収縮時においてもポール１０内を通る導電コード１４の弛みを防止できる。
【発明の効果】
【００１１】
本発明では導電コードが芝刈機の外部に露出せず、芝刈時や運搬時に導電コードが枝木等に引掛かることがなく、芝刈や運搬を行いやすく、また芝刈時にも安全である。また導電コードが枝木等に引掛からないので断線することもない。また導電コードは外部に露出しないので外観が良い。
【発明を実施するための最良の形態】
【００１２】
以下、本発明を添付図面に示す実施形態に基いて説明する。図１や図２のように本実施形態の芝刈機は、長尺なハンドル１と、ハンドル１の先端に取付けた刈取装置２を備えている。
【００１３】
刈取装置２の外殻は中空のハウジング３で構成してあり、ハウジング３の前部の下面側には刈刃４を設けている。刈刃４は円盤状の固定刃５及び可動刃６で構成されている。可動刃６はハウジング３の前部から下方に突出する取付軸（図示せず）に回転自在に軸支している。また可動刃６の下方に位置する固定刃５は取付軸の下端面に固定している。
【００１４】
固定刃５の下方には刃底カバー７を配設してあり、該刃底カバー７により固定刃５の中央部を下方から覆っている。刃底カバー７の下面には平担な滑面部８を形成してあり、滑面部８を芝上に接地して滑らすことで刈取装置２をスムーズに移動できるようにしている。またこの刃底カバー７で地面から刈刃４までの距離を一定にでき、芝の刈り高さを一定に保っている。
【００１５】
ハウジング３には刈刃４を動作させるモータ（図示せず）を内装している。モータの出力軸はハウジング３に内装した伝達機構部（図示せず）を介して可動刃６に連結してあり、モータの出力軸の回転を伝達機構部を介して可動刃６に伝達して可動刃６を前記取付軸回りに回転できるようになっている。
【００１６】
ハンドル１はＬ字状に屈曲したグリップ９と、グリップ９の先端から前斜め下向きに突設した長尺筒状のポール１０を備えている。
【００１７】
グリップ９は略横向きの後部が手で把持される把持部１１となっている。把持部１１の下面には操作部として押し込み式のスイッチハンドル１２を設けている。グリップ９にはスイッチハンドル１２により操作されるスイッチ（図示せず）を内装してあり、該スイッチにはグリップ９の後端から導入した電源コード１３を接続している。スイッチは導電コード１４を介して前述の刈取装置２に内装したモータに電気的に接続している。またグリップ９の把持部１１にはロック釦１５を設けている。スイッチハンドル１２はロック釦１５を押し込んだ状態でのみ操作可能としてある。即ちロック釦１５を押し込み、この状態で把持部１１を握ってスイッチハンドル１２を把持部１１側に押し込むことで、モータを駆動できるようになっている。なおロック釦１５の押し込み状態を解除した場合には、スイッチハンドル１２は押し込めないようになっており、これによりモータ及び刈刃４の動作を制限している。
【００１８】
ポール１０は軸方向に伸縮自在となるもので、楕円筒状の上側ポール部材１６と楕円筒状の下側ポール部材１７とで構成されている。下側ポール部材１７は上側ポール部材１６よりもやや大径に形成してあり、該下側ポール部材１７の上端側に上側ポール部材１６の下端側をポール１０の軸方向にスライド自在に挿入してあり、これによりポール１０は伸縮自在となっている。
【００１９】
ポール１０には伸縮自在のポール１０の長さを固定するための固定手段を設けている。固定手段は下側ポール部材１７の上端部に取付けた固定具１８からなる。固定具１８は図３のように下側ポール部材１７の上端部に被嵌される筒状の被嵌部材１９と、被嵌部材１９の外面側に設けたハンドル部材２０とからなる。
【００２０】
ハンドル部材２０は被嵌部材１９の外周面に沿う内面形状を有するもので、先端に断面略円形のポール押圧部２１を設けている。ポール押圧部２１はその偏心位置で被嵌部材１９の周方向の一部に形成した開口部２２の内縁に回動自在に軸支してあり、これによりハンドル部材２０はポール１０の軸方向と平行な軸回りに回動自在となっている。
【００２１】
ここでハンドル部材２０の内面を被嵌部材１９の外周面に沿わせた状態においてハンドル部材２０の回動中心ａからポール押圧部２１のポール１０側の端までの距離Ａは、ハンドル部材２０を被嵌部材１９の外面から離した状態においてハンドル部材２０の回動中心ａからポール押圧部２１のポール１０側の端までの距離Ｂよりも大きくしている（即ちＡ＞Ｂ）。これによりハンドル部材２０を被嵌部材１９の外周面に沿わせた状態ではポール押圧部２１により下側ポール部材１７の外面を内方に押圧して、下側ポール部材１７を上側ポール部材１６に対して固定できる。また図３の状態からハンドル部材２０を被嵌部材１９の外面から遠ざかる方向に回動することで、前記ポール押圧部２１による下側ポール部材１７への押圧を解除して、下側ポール部材１７を上側ポール部材１６に対して移動可能にできる。
【００２２】
上記芝刈機を使用する場合は、例えばグリップ９の把持部１１を手で握って刈取装置２を芝上に滑動させると共に、スイッチハンドル１２を操作してモータを駆動する。このようにモータを駆動すると可動刃６が取付軸回りに回転され、これにより固定刃５の櫛歯状の刃部２３間に誘い込まれた草葉や枝木を固定刃５の刃部２３と回転する可動刃６の外周に設けた刃部２４で挟み切ることができる。
【００２３】
また本例の芝刈機にあってはポール１０の長さを変更できる。ポール１０の長さを変更する場合は、下側ポール部材１７に対して上側ポール部材１６をポール１０の軸方向にスライド移動してポール１０を任意の長さとした後、固定具１８でポール１０の長さをこの任意の長さで固定する。このように本例の芝刈機はポール１０の長さを変更できるので、ポール１０の長さを使用者の身長や使用環境等に適した長さとできて使い勝手が良い。
【００２４】
ここで本発明の芝刈機にあっては上記グリップ９に内装したスイッチと刈取装置２に内装したモータを接続する導電コード１４をポール１０内に通してある。
【００２５】
詳述すると、上側ポール部材１６の下端部には上側ポール部材１６内に位置する回転自在のローラ２５（以下第一ローラ２５という）を取付けている。図５のように第一ローラ２５は上側ポール部材１６の下端部の対向する両側面部間に架設した第一横軸２６に回転自在に軸支している。また図１等に示すように上側ポール部材１６の両側面部の対向位置には上側ポール部材１６の軸方向に長い長孔２７を貫通して形成してあり、該長孔２７は上側ポール部材１６の軸方向における中央から下部まで伸びている。なお長孔２７の下端は第一ローラ２５よりも上方に位置している。
【００２６】
下側ポール部材１７の上部には下側ポール部材１７内に位置するローラ２８（以下第二ローラ２８という）を取付けている。図４のように下側ポール部材１７の上部の対向する両側面部間には上記第一横軸２６と平行な第二横軸３０を架設している。該第二横軸３０は前述の上側ポール部材１６の両長孔２７を貫通してあり、長孔２７の長手方向に移動自在となっている。第二横軸３０の上側ポール部材１６内における部位（中央部）には上記第二ローラ２８を回転自在に軸支している。なお第一ローラ２５及び第二ローラ２８の夫々の両端部には中央部よりも大径となった鍔部２９を設けてあり、鍔部２９により後述するようにローラ２５、２８に巻き廻した導電コード１４がローラ２５、２８から抜け出ることを防止している。
【００２７】
そして図１等に示すようにグリップ９内において一端をスイッチに接続した導電コード１４はグリップ９の先端（詳しくは把持部１１の前端から斜め下向き前方に向けて突出した部分の下端）を介してポール１０の上端からポール１０内に導入された後、まず両ローラ２５、２８のうち下方に位置する第二ローラ２５に巻き廻されて折り返され、次に上方に位置する第一ローラ２８に巻き廻されて折り返され、次に第二ローラ２５に掛けられた後、ポール１０の下端から刈取装置２内に導入され、この後刈取装置２内において他端がモータに接続される。なお上記導電コード１４のポール１０内を通る部分の長さはポール１０の最大伸長時におけるポール１０の長さ以上であるものとする。
【００２８】
上記構成により、ポール１０を図１の最大伸長状態から図２の最大収縮状態に縮めるにあたって、上側ポール部材１６を下側ポール部材１７内に挿入していくと、両長孔２７の下端部に位置する第一横軸３０が長孔２７の上端側に移動し、第一横軸３０に取付けた第一ローラ２５がポール１０の軸方向における上側に移動して、第二ローラ２８と第一ローラ２５の距離が長くなる。この時、第一ローラ２５が導電コード１４の第一ローラ２５に巻き廻された部分をポール１０の軸方向における上側に移動させ、結果、導電コード１４の第一ローラ２５及び第二ローラ２８に亘って巻き廻される長さが長くなる。
【００２９】
また逆にポール１０を図２の最大収縮状態から図１の最大伸長状態に伸ばすにあたって、上側ポール部材１６を下側ポール部材１７から引き出していくと、両長孔２７の上端部に位置する第一横軸３０が長孔２７の下端側に移動し、第一横軸３０に取付けた第一ローラ２５がポール１０の軸方向における下側に移動して、第二ローラ２８と第一ローラ２５の距離が短くなる。この時、第二ローラ２８が導電コード１４の第二ローラ２８に巻き廻された部分がポール１０の軸方向における上側に移動することを規制しつつ、導電コード１４の刈取装置２側の端部がポール１０の軸方向における下側に引き出され、結果、導電コード１４の第一ローラ２５及び第二ローラ２８に亘って巻き廻される長さが短くなる。
【００３０】
このように本発明ではスイッチとモータをポール１０内に通した導電コード１４で電気的に接続しているので、導電コード１４が芝刈機の外部に露出せず、芝刈時や運搬時に導電コード１４が枝木等に引掛かることがない。
【００３１】
また本例のポール１０は伸縮自在であるので前述したように使い勝手が良いのは勿論のこと、加えてこの伸縮自在のポール１０内を通る導電コード１４のポール１０内を通る部分の長さはポール１０の最大伸長時におけるポール１０の長さ以上であるので、ポール１０の長さに関わらずポール１０内に収めた導電コード１４でスイッチとモータの接続状態を常に維持できる。
【００３２】
さらに本例では上側ポール部材１６に上側ポール部材１６内に位置する回転自在の第二ローラ２８を設けると共に、下側ポール部材１７に下側ポール部材１７内に位置する回転自在の第一ローラ２５を設け、グリップ９内からポール１０に導入した導電コード１４を両ローラのうち下方に位置する第二ローラ２５に巻き廻し、次に上方に位置する第一ローラ２８に巻き廻し、この後、ポール１０の下端から刈取装置２内に導入したので、前述したようにポール１０の長さに応じて導電コード１４の第一ローラ２５及び第二ローラ２８に亘って巻き廻される部分の長さを変更でき、この結果、ポール１０の伸長時にポール１０内を通る導電コード１４の弛みを防止できるのは勿論、加えてポール１０の収縮時においてもポール１０内を通る導電コード１４の弛みを防止できる。
【００３３】
なお本例ではポール１０を伸縮自在とするにあたってポール１０を上側ポール部材１６と下側ポール部材１７の２部材で構成したが、ポール１０は３以上のポール部材で構成しても良く、つまり複数のポール部材をスライド自在に連結してポール１０を伸縮自在とすれば良い。また導電コード１４の途中を両ローラ２５、２８に亘って一回だけ巻き廻したが、複数回巻き廻しても良い。
【図面の簡単な説明】
【００３４】
【図１】本発明の実施の形態の一例を示すもので、伸長状態における芝刈機の側面図である。
【図２】同上の収縮状態における芝刈機の側面図である。
【図３】同上の芝刈機のポール及び固定具を示す断面図である。
【図４】図２のＡ―Ａ線断面図である。
【図５】図２のＢ―Ｂ線断面図である。
【符号の説明】
【００３５】
２  刈取装置
４  刈刃
９  グリップ
１０  ポール
１４  導電コード
１６  上側ポール部材
１７  下側ポール部材
２５  第一ローラ
２８  第二ローラ
【図１】
2007116959.tif 000003
【図２】
2007116959.tif 000004
【図３】
2007116959.tif 000005
【図４】
2007116959.tif 000006
【図５】
2007116959.tif 000007